(57)【特許請求の範囲】
【請求項１】
ノズル組立体により空気を吹き込むための装置であって、
気流を発生させて空気流を供給するための基部台座と、
前記基部台座によって支持されたノズル組立体と、
を備え、
前記ノズル組立体は、空気を吹き込むための細隙形状の開口を備え、
空気流通路が、前記基部台座と前記ノズル組立体との間に結合され、前記空気流通路の取り入れ端部が、前記基部台座の外面上に開放され、前記空気流通路の出力端部が、ピボット構成要素により前記ノズル組立体に結合され、
前記ノズル組立体の取り入れ端部が、前記ピボット構成要素により前記基部台座の出力端部に結合され、
インペラ及び該インペラを回転させるための電気モータが、前記基部台座内に設けられ、前記ノズル組立体は、前記ピボット構成要素により前記基部台座上に回転可能に固定され、これによって該ノズル組立体は前記基部台座の周囲で横になるように該基部台座に対して回転可能である、空気を吹き込むための装置。
【請求項２】
前記ノズル組立体は、任意の方向で前記ピボット構成要素により前記基部台座上に回転可能に固定される、請求項１に記載の空気を吹き込むための装置。
【請求項３】
前記ノズル組立体は、０°−３６０°の仰角で前記ピボット構成要素により前記基部台座上に回転可能に固定される、請求項１に記載の空気を吹き込むための装置。
【請求項４】
空気フィルタ組立体が、前記基部台座の表面上の空気流通路の取り入れ端部の開口部に配置される、請求項１に記載の空気を吹き込むための装置。
【請求項５】
前記インペラ及び前記電気モータは、前記基部台座内のケーシングに同軸に収容され、気流を発生させるための空気供給組立体を構成し、空気フィルタ組立体が、前記ケーシング上の空気流通路の取り入れ端部の開口部に設置される、請求項１に記載の空気を吹き込むための装置。
【請求項６】
前記空気フィルタ組立体は、前記空気流通路の各々の取り入れ端部の開口部に着脱可能に設置される、請求項４又は請求項５に記載の空気を吹き込むための装置。
【請求項７】
空気フィルタ組立体は、前記基部台座の表面上の空気流通路の取り入れ端部の開口部と前記空気供給組立体のケーシングとの間に設けられる、請求項５に記載の空気を吹き込むための装置。
【請求項８】
前記空気フィルタ組立体は、メッシュフィルタ、フィルタ積層体、又は該フィルタ積層体に基づくフィルタカートリッジである、請求項４から請求項７の何れかに記載の空気を吹き込むための装置。
【請求項９】
増速伝達機構が、前記基部台座において前記インペラを回転させるための電気モータの出力軸に取り付けられ、プーリ駆動部及び歯車対伝達機構を含む、請求項１に記載の空気を吹き込むための装置。
【請求項１０】
前記ノズル組立体は、円形又は長円形リングのような全体形状に成形され、前記組立体の内側キャビティにおいて前記気流を受け入れるための整流リングと、外側リングの周囲又は長円形の周囲に配置され空気を吹き込むための細隙形状ノズルとを含む、請求項１に記載の空気を吹き込むための装置。
【請求項１１】
前記整流リングは、次第に狭くなる先細区域を含み、前記空気を吹き込むための細隙形状ノズルは、前記先細区域の先端に位置する、請求項１０に記載の空気を吹き込むための装置。
【請求項１２】
空気を吹き込むための前記細隙形状ノズルの幅を定める２つの対向面の間の距離は、０．２ｍｍ−１５．０ｍｍであり、前記ノズルの空気供給部品の空気吹き込み方向と前記整流リングの中心軸線との間に形成される角度は、０．２°−２０．０°であり、前記空気吹き込み方向の前記空気供給部品の長さは、０．２ｍｍ−３０．０ｍｍである、請求項１１に記載の空気を吹き込むための装置。
【請求項１３】
前記空気を吹き込むための細隙形状ノズルの幅を定める２つの対向面は、前記ノズルに沿って延びる少なくとも１つの仕切り板によって分離され、該仕切り板は、固定部材によって前記２つの対向面に結合されて、前記ノズルに沿って延びる複数列の空気供給出口を形成し、空気供給出口の２つの隣接する列は、整列して又は千鳥配列で配置され、各空気供給出口は、各空気供給出口を定める対向面を含み、各ペアの対向面の間の距離の合計は、０．２ｍｍ−１５ｍｍであり、前記ノズルの空気供給部品の空気吹き込み方向と前記整流リングの中心軸線との間に形成される角度は、０．２°−２０．０°であり、前記空気吹き込み方向の空気供給部品の長さは、０．２ｍｍ−３０．０ｍｍである、請求項１１に記載の空気を吹き込むための装置。
【請求項１４】
前記ピボット構成要素は、前記基部台座内に取り付けられるＴ字形中空パイプを含み、前記Ｔ字形中空パイプの水平パイプの２つの端部は、前記ノズル組立体の取り入れ端部と連通状態にあり、前記Ｔ字形中空パイプの垂直パイプは、前記基部台座の前記出口端部と連通状態にあり、前記水平パイプの前記２つの端部は、前記水平パイプの周りで回転可能なフランジにはめ込まれ、前記フランジ及び前記ノズル組立体は、前記ノズル組立体及び前記フランジが前記水平パイプの周りを共に回転するように一緒に固定される、請求項１に記載の空気を吹き込むための装置。
【請求項１５】
前記ピボット構成要素は、前記基部台座内に配置されるとともに前記ノズル組立体の取り入れ端部と前記基部台座内のケーシングの空気出口との間を連通する中空パイプを含み、前記中空パイプ及び前記ノズル組立体は一緒に固定されて前記ノズル組立体及び前記中空パイプとが一緒に回転するようになっており、シール部材が、前記中空パイプと前記基部台座内の前記ケーシングの前記空気出口との間に配置される、請求項１に記載の空気を吹き込むための装置。
【請求項１６】
シール部材は、前記フランジ又は前記中空パイプと前記基部台座内のケーシングとの間に配置される、請求項１４又は請求項１５に記載の空気を吹き込むための装置。
【請求項１７】
サークリップが、前記フランジ又は前記中空パイプ上に配置されて、前記ノズル組立体が前記基部台座内のケーシングから外れることを防止する、請求項１４又は請求項１５に記載の空気を吹き込むための装置。
【請求項１８】
前記ピボット構成要素は、前記ノズル組立体の滑らかな回転を可能にする組立体に結合され、前記基部台座の前記ケーシングに固定されるバネ及び該バネ上に配置されるローラーボールを含み、円形鋸歯状結合部分が、前記各フランジの外周上に配置され、前記各ローラーボールは、各鋸歯状結合部分の凹形部分に支えられ、結果的に前記水平パイプの周りで前記ノズル組立体の滑らかな回転が可能になる、請求項１４に記載の空気を吹き込むための装置。
【請求項１９】
前記ピボット構成要素は、前記ノズル組立体の滑らかな回転を可能にするプラスチック部品と結合され、突起部が、前記フランジの円形鋸歯状結合部分に対応する前記プラスチック部品に配置され、前記突起部は、前記鋸歯状結合部分の各凹形部分に支えられ、結果的に前記水平パイプの周りで前記ノズル組立体の滑らかな回転が可能になる、請求項１４に記載の空気を吹き込むための装置。
【請求項２０】
前記ノズル組立体のピッチ回転を制御するための第２の電気モータ、及び前記第２の電気モータの出力軸に結合される少なくとも１つの駆動ホイールが、前記基部台座内のケーシングに設けられ、駆動ホイールの前記ピボット構成要素との係合により、前記ノズル組立体が滑らかに回転する、請求項１に記載の空気を吹き込むための装置。
【請求項２１】
前記電気モータ及び前記インペラは、空気を吹き込むための装置の空気供給組立体を構成し、前記空気供給組立体は、ケーシングに収容され、前記ケーシングは、前記ケーシングと前記空気流通路の前記取り入れ端部との間に配置された減衰機構によって前記基部台座内に固定される、請求項１に記載の空気を吹き込むための装置。
【請求項２２】
前記インペラ及び前記電気モータは、ケーシングに収容されて空気供給組立体を構成し、衝撃吸収連結部材が、前記ケーシングと前記空気流通路の取り入れ端部との間に配置される、請求項１に記載の空気を吹き込むための装置。
【請求項２３】
前記ノズル組立体を前記水平方向に回転させて方位角を調節するために前記基部台座内に配置される旋回モータを更に含み、前記旋回モータは、伝達アームに結合され、それにより前記伝達アームに結合される回転軸を回転させ、結果的に、前記ノズル組立体を固定する前記基部台座の上部と一緒にノズル組立体を水平平面上で回転させる、請求項１に記載の空気を吹き込むための装置。
【請求項２４】
前記基部台座は、所定位置に空気を吹き込むための装置を固定するための連結部材を備える、請求項１に記載の空気を吹き込むための装置。
【請求項２５】
前記基部台座のハウジングが、所定位置に空気を吹き込むための装置を固定するための固定部品を備える、請求項２３に記載の空気を吹き込むための装置。
【発明の詳細な説明】
【技術分野】
【０００１】
本発明は、回転ポンプによって弾性流体を圧送するためのポンプ装置又はシステムに関し、詳細には、作動流体が空気である換気装置又はシステムに関し、より詳細には、噴射方向を広範囲に調節することができる細隙ノズルを用いて空気を吹き込むための装置に関する。
【背景技術】
【０００２】
通常、家庭用ファンは、回転軸、１組のブレード又は軸の周りで回転するインペラ、及び気流を発生させるためにブレード又はインペラを回転するように駆動する駆動機器を含む。空気の流れ及び循環により風を生成し、熱は空気対流によって放散されて、ユーザは冷たさを感じることができる。従来の家庭用ファンは、回転ブレード又はインペラによって発生する気流を、ユーザが一様に感じることができないという欠点があるので、ユーザは、乱気流によって発生する「パッティング」の感覚をもつ。更に、ブレードは、大きな面積を占めるので室内照度を下げる。
【０００３】
正確には「空気を吹き込むための装置」と呼ぶブレードレスファンは、気流を発生させるための基部と、基部によって支持される環状ノズルとを含む。環状ノズルは開口を形成し、ノズルは、内側通路及び気流を噴出するための開口部を含む。基部は、基部のハウジング上に配置された空気取り入れ口及び基部内のインペラを含む。インペラの吐出部分及びノズルの内側通路は、それぞれ基部のパイプと連通状態にある。インペラは、空気取り入れ口を通る空気を引き出す。空気は、基部のパイプ及びノズルの内側通路を流れ、ノズルの口部から気流が噴出される。また、特許文献の米国特許第２，４８８，４６７号、中国特許第２０１０１０１２９９９９．１号、中国特許第２０１０１０１２９９９７．２号、及び中国特許第２０１０１０１２９９７２．２号には、前述のものと類似の他のファン又はサーキュレータを開示する。しかしながら、ファン又はサーキュレータのピッチは、小さな角度だけ調節できるに過ぎず、大きな角度で気流の方向を調節する要求を満みたすことができない。中国特許第２０１０１０１２９９７２．２号では、気流の方向を調節する際に空気通路のホースが変形し、気流の方向を大きな角度で調節する場合には空気通路は閉塞されることになる。一方で、ほとんどの環境では、ファンは、電気モータを使用することによって作動してインペラを直接駆動するが、通常、電気モータの回転速度は、５０００ｒｐｍを超えることができないので作業効率は大幅に制限される。
【０００４】
更に、空気中に浮遊する大量の塵埃粒子があり、塵埃は、その存在が家庭電気器具の性能に大きな影響を与えるので、家庭電気器具の「キラー」として知られている。空気中に浮遊する粒状材料は、固体又は液体微粒子から成る。空気中に浮遊する粒子は、固体粒子及び液体粒子の多分散エアロゾルを含む。従来のブレードレスファンは、空気取り入れ口にエアフィルタ装置を備えていないので、長時間使用後に、空気中の塵埃は、インペラ、基部のパイプ、内側通路、及びノズルの開口部に付着する。詳細には、ブレードレスファンの内部構造は、インペラの構造に起因して複雑であり、分解して清掃することが難しい。エアフィルタ装置がない場合、過剰量の塵埃が付着することになり、過剰量の塵埃は、インペラを駆動するための電気モータにかかる負荷を増大させ、結果的に、稼働寿命を短くしてエネルギ消費を増大させる。一方で、過剰の塵埃は、ノズルが気流を噴出できないようにノズルのスリットを閉塞する場合があり、結果的にファンの稼働寿命を短くする。また、空気中には、ホルムアルデヒド、メチルアミン、ベンゼン、キシレン等の有害有機物質、及び放射性塵埃のヨード１３１、臭気、及び細菌等の他の汚染物質が存在するが、従来のブレードレスファンには防臭及び空気浄化機能がない。
【０００５】
前述のように、従来のブレードレスファンには、使用時に明らに不都合及び欠点があり、改善して完全なものとする必要がある。
【先行技術文献】
【特許文献】
【０００６】
【特許文献１】米国特許第２，４８８，４６７号
【特許文献２】中国特許第２０１０１０１２９９９９．１号
【特許文献３】中国特許第２０１０１０１２９９９７．２号
【特許文献４】中国特許第２０１０１０１２９９７２．２号
【発明の概要】
【発明が解決しようとする課題】
【０００７】
本発明が解決すべき技術的問題は、細隙ノズルを備えた空気を吹き込むための折り畳み式装置を提供することであり、細隙ノズルは、簡単な操作によって気流の方向を調節することができ、装置が未使用の場合、占有空間を節約するために折り畳むことができる。
【課題を解決するための手段】
【０００８】
従来技術における上記技術的問題を解決するために、本発明の技術的解決手法は、細隙ノズル組立体により空気を吹き込むための装置である。本装置は、気流を発生させて空気流を供給するための基部台座と、基部台座によって支持され、空気を吹き込むための細隙ノズル組立体とを備える。空気流通路は、基部台座とノズル組立体との間に結合される。空気流通路の取り入れ端部は、基部台座の外面上に開放され、空気流通路の出力端部は、ピボット構成要素により前記ノズル組立体に結合される。ノズル組立体の取り入れ端部は、ピボット構成要素により基部台座の出力端部に結合される。インペラ及びインペラを回転させるための電気モータは、基部台座内に設けられる。ノズル組立体は、ピボット構成要素により基部台座上に回転可能に固定される。
【０００９】
ノズル組立体は、任意の方向で前記ピボット構成要素により基部台座上に回転可能に固定される。
【００１０】
ノズル組立体は、０°−３６０°の仰角でピボット構成要素により基部台座上に回転可能に固定される、
【００１１】
空気フィルタ組立体は、基部台座の表面上の空気流通路の取り入れ端部の開口部に配置される。
【００１２】
インペラ及び前記電気モータは、基部台座内のケーシングに同軸に収容され、気流を発生させるための空気供給組立体を構成し、空気フィルタ組立体は、ケーシング上の空気流通路のり入れ端部の開口部に設置される。
【００１３】
空気フィルタ組立体は、空気流通路の各々の取り入れ端部の開口部に着脱可能に設置される。
【００１４】
空気フィルタ組立体は、基部台座の表面上の空気流通路の取り入れ端部の開口部と空気供給組立体のケーシングとの間に配置される。
【００１５】
空気フィルタ組立体は、メッシュフィルタ、フィルタ積層体、又はフィルタ積層体に基づくフィルタカートリッジである。
【００１６】
増速伝達機構は、基部台座においてインペラを回転させるための電気モータの出力軸に取り付けられ、プーリ駆動部及び歯車対伝達機構を含む。
【００１７】
ノズル組立体は、全体的には不変部分を有する円形又は長円形リングのように成形され、組立体の内側キャビティにおいて気流を受け入れるための整流リングと、外側リングの周囲又は長円形の周囲に配置される空気を吹き込むための細隙ノズルとを含む。
【００１８】
整流リングは、次第に狭くなる先細区域を含み、空気を吹き込むための細隙ノズルは、先細区域の先端に位置する。
【００１９】
空気を吹き込むための細隙ノズルの幅を定める２つの対向面の間の距離は、０．２ｍｍ−１５．０ｍｍであり、ノズルの空気供給部品の空気吹き込み方向と整流リングの中心軸線との間に形成される角度は、０．２°−２０．０°であり、空気吹き込み方向の空気供給部品の長さは、０．２ｍｍ−３０．０ｍｍである。
【００２０】
空気を吹き込むための細隙ノズルの幅を定める２つの対向面は、ノズルに沿って延びる少なくとも１つの仕切り板によって分離され、仕切り板は、固定部材によって２つの対向面に結合されて、ノズルに沿って延びる複数列の空気供給出口を形成し、空気供給出口の２つの隣接する列は、一直線になって又は千鳥配列で配置され、各空気供給出口は、各空気供給出口を定める対向面を含み、各ペアの対向面の間の距離の合計は、０．２ｍｍ−１５ｍｍであり、ノズルの空気供給部品の空気吹き込み方向と整流リングの中心軸線との間に形成される角度は、０．２°−２０．０°であり、空気吹き込み方向の空気供給部品の長さは、０．２ｍｍ−３０．０ｍｍである。
【００２１】
ピボット構成要素は、基部台座内に取り付けられるＴ字形中空パイプを含み、Ｔ字形中空パイプの水平パイプの２つの端部は、ノズル組立体の取り入れ端部と連通状態にあり、Ｔ字形中空パイプの垂直パイプは、基部台座の出口端部と連通状態にあり、水平パイプの２つの端部は、水平パイプの周りで回転可能なフランジにはめ込まれ、フランジ及びノズル組立体は、ノズル組立体及びフランジが水平パイプの周りを共に回転するように一緒に固定される。
【００２２】
ピボット構成要素は、ノズル組立体の取り入れ端部に配置される中空パイプを含み、中空パイプ及びノズル組立体は一緒に固定され、シール部材は、ノズル組立体及び中空パイプが一緒に回転するように、中空パイプと基部台座内のケーシングの空気出口との間に配置される。
【００２３】
シール部材は、フランジ又は中空パイプと基部台座内のケーシングとの間に配置される。
【００２４】
サークリップは、フランジ又は中空パイプ上に配置されて、ノズル組立体が基部台座内のケーシングから外れることを防止する。
【００２５】
ピボット構成要素は、ノズル組立体の滑らかな回転を可能にする組立体に結合され、基部台座のケーシングに固定されるバネ及びバネ上に配置されるローラーボールを含み、円形鋸歯状結合部分は、フランジの外周上に配置され、ローラーボールは、鋸歯状結合部分の各凹形部分に支えられ、結果的に水平パイプの周りでノズル組立体の滑らかな回転が可能になる。
【００２６】
ピボット構成要素は、ノズル組立体の滑らかな回転を可能にするプラスチック部品と結合され、突起部は、フランジの円形鋸歯状結合部分に対応するプラスチック部品に配置され、突起部は、鋸歯状結合部分の各凹形部分に支えられ、結果的に水平パイプの周りでノズル組立体の滑らかな回転が可能になる。
【００２７】
シール部材は、フランジと水平パイプとの間に配置され、ファスナは、フランジとノズル組立体との間に結合される。
【００２８】
ノズル組立体のピッチ回転を制御するための第２の電気モータ、及び第２の電気モータの出力軸に結合される少なくとも１つの駆動ホイールは、基部台座内のケーシングに設けられ、駆動ホイールのピボット構成要素との係合によりノズル組立体が滑らかに回転する。
【００２９】
電気モータ及びインペラは、空気を吹き込むための装置の空気供給組立体を構成し、空気供給組立体は、ケーシングに収容され、ケーシングは、減衰機構によって基部台座内に固定される。
【００３０】
インペラ及び電気モータは、ケーシングに収容されて空気供給組立体を構成し、衝撃吸収連結部材は、ケーシングと空気流通路の取り入れ端部との間に配置される。
【００３１】
空気を吹き込むための装置は、ノズル組立体を水平方向に回転させて方位角を調節するために基部台座内に配置される旋回モータを更に含む。旋回モータは、伝達アームに結合されるので、伝達アームに結合される回転軸を回転させ、結果的に、ノズル組立体を固定する前記基部台座の上部と一緒にノズル組立体を水平平面上で回転させる。
【００３２】
基部台座は、所定位置に空気を吹き込むための装置を固定するための連結部材を備える。
【００３３】
基部台座のハウジングは、所定位置に空気を吹き込むための装置を固定するための固定部品を備える。
【００３４】
基部台座上に配置される標準又はミニＵＳＢポートを含むＵＳＢポートを更に備える。
【００３５】
空気供給組立体を固定する基部台座の上部は、底部の回転中心において摺動可能に回転できる二極同軸スリップリングによって、基部台座の下部から電力を受けて空気供給組立体を駆動する。
【００３６】
本発明において、空気流通路は、ノズル組立体と基部台座との間に連結される。空気流通路の取り入れ端部は、基部台座の外面上に開放され、出力端部は、ピボット構成要素によりノズル組立体に連結される。基部台座は、空気流通路を経由してノズル組立体に気流を供給する。２つのピボット構成要素は、ノズル組立体と基部台座との間に結合され、ノズル組立体は、２つのピボット構成要素によって基部台座に回転可能に結合され、大きな角度で基部台座の周りのノズル組立体のピッチ回転を実現するので、気流の噴出方向を調節に対する要求を満たす。更に、空気を吹き込むための装置が不使用の場合、ノズル組立体は、空間を節約するように、回転してフラットな状態に折り畳むことができる。
【図面の簡単な説明】
【００３７】
【図１】本発明の折り畳み式ブレードレスファンの構造を示す概略斜視図である。
【図２Ａ】本発明の折り畳み式ブレードレスファンの構造を示す概略側断面図である。
【図２Ｂ】図２Ａの構造の部分拡大図である。
【図３Ａ】本発明の折り畳み式ブレードレスファンの構造を示す正面断面図である。
【図３Ｂ】図３Ａの構造の部分拡大図である。
【図４】本発明の折り畳み式ブレードレスファンの構造を示す概略正面図である。
【図５Ａ】本発明の実施形態の第１の状態を示す概略構造図である。
【図５Ｂ】本発明の実施形態の第２の状態を示す概略構造図である。
【図５Ｃ】本発明の実施形態の第３の状態を示す概略構造図である。
【図６】本発明の基部台座の内部構造の概略図である。
【図７】本発明の実施形態のノズルを示す部分拡大概略構造図である。
【図８】本発明の別の実施形態のノズルを示す部分拡大概略構造図である。
【図９】図８の空気供給出口及び仕切り板を示す部分拡大図である。
【図１０】本発明の別の実施形態の構造を示す断面正面図である。
【図１１】本発明の折り畳み式ブレードレスファンの基部台座の回転調節構造を示す概略図である。
【図１２】本発明の実施形態の壁掛け構造を示す概略図である。
【図１３Ａ】本発明の別の実施形態の部分構造を示す概略図である。
【図１３Ｂ】図１３Ａの構造を示す概略部分拡大図である。
【発明を実施するための形態】
【００３８】
本発明の目的、技術的解決法、及び利点を明瞭に理解できるように、本発明は、図面及び実施形態と関連して以下に更に詳細に説明されている。実施形態は、単に本発明を説明するために記載されており、本発明の範囲を限定することを意図していないことを理解されたい。
【００３９】
図１−図４を参照すると、細隙ノズル組立体により空気を吹き込むための装置１００が提供される。装置は、気流を発生させて空気流を供給するための基部台座１０と基部台座１０によって支持されて空気を吹き込むための細隙ノズル組立体２０とを含む。空気流通路は、基部台座１０とノズル組立体２０との間に結合される。空気流通路の取り入れ端部は、基部台座１０の外面に開放され、空気流通路の出力端部は、ピボット構成要素２１を用いてノズル組立体２０に結合される。ノズル組立体２０の取り入れ端部は、ピボット構成要素２１を用いて基部台座１０の出力端部に結合される。インペラ１３及びインペラ１３を回転させるための電気モータ１２は、基部台座１０内に設けられる。ノズル組立体２０は、ピボット構成要素２１を用いて基部台座１０に回転可能に固定される。
【００４０】
ノズル組立体は、ピボット構成要素を用いて基部台座上で任意の方向に回転可能に固定される。詳細には、ノズル組立体は、０°−３６０°の仰角でピボット構成要素を用いて基部台座上に回転可能に固定される。
【００４１】
実際の使用において、基部台座１０で発生する気流は、噴出気流を形成するように空気流通路を通ってノズル組立体２０の中に連続的に吹き込まれる。本発明の実施形態では、基部台座１０はケーシング１１を備え、電気モータ１２及び電気モータ１２の回転軸に結合されるインペラ１３は、ケーシング１１内に収容される。回転時、電気モータ１２は、気流を発生させるようにインペラ１３を駆動して回転させる。インペラ１３及び電気モータ１２は、基部台座１０内のケーシングに同軸で収容され、気流を発生させるための空気供給組立体を構成するようになっており、空気フィルタ組立体は、ケーシング上の空気流通路の取り入れ端部の開口部に設置される。
【００４２】
ピボット構成要素２１は、基部台座１０に設置されるＴ字形中空パイプを含み、Ｔ字形中空パイプの水平パイプの両方の端部３２は、ノズル組立体２０の取り入れ端部と連通状態にある。Ｔ字形中空パイプの垂直パイプの取り入れ端部３１は、基部台座の出口端部と連通状態にある。水平パイプの２つの端部３２は、それぞれ水平パイプの周りで回転可能なフランジにはめ込まれ、フランジ及びノズル組立体２０は、ノズル組立体２０及びフランジが水平パイプの周りで一緒に回転するように固定される。シール部材は、フランジと水平パイプとの間に配置され、ファスナは、フランジとノズル組立体との間に結合される。
【００４３】
別の実施形態では、ピボット構成要素２１は、ノズル組立体２０の取り入れ端部に配置された中空パイプを含む。中空パイプ及びノズル組立体は一緒に固定され、シール部材は、ノズル組立体及び中空パイプが一緒に回転するように、中空パイプと基部台座内のケーシングの空気出口との間に配置される。
【００４４】
好ましくは、シール部材は、フランジ又は中空パイプと基部台座内のケーシングとの間に配置され、空気供給組立体から出た気流が漏出して空気供給効率に影響を与えることを防ぐようになっている。
【００４５】
サークリップは、フランジ又は中空パイプ上に配置されて、ノズル組立体が基部台座内のケーシングから外れることを防止する。
【００４６】
ケーシング１１は、連結パイプ１４によって取り入れ端部３１に連結され、連結パイプ１４は、基部台座１０上に固定され、ノズル組立体２０は、Ｔ字形中空パイプの水平パイプの２つの端部３２に結合される。この結合構造によって、ケーシング１１で発生する気流は、連結パイプ１４を通って垂直パイプの取り入れ端部３１に入り、その後、水平パイプの２つの端部３２を通ってノズル組立体２０に入り噴出される。ノズル組立体２０に入る気流は、ベルヌーイの法則に従う。すなわち、インペラ１３が空気を押しやって気流を発生させる場合、気流は、水平パイプの２つの端部３２を通ってノズル組立体２０の環状通路に入り、その後、ノズル組立体２０から噴出されて噴出気流を形成する。ピボット構成要素２１は、ノズル組立体２０と水平パイプの２つの端部３２との間の結合点に配置され、ノズル組立体２０は、水平パイプの周りの大きな角度でのピッチ回転を実現するように、ピボット構成要素２１によって水平パイプの２つの端部３２に回転可能に結合され、結果的に、細隙ノズル組立体により空気を吹き込むための装置１００は、複数の方向及び任意の位置でユーザに対して気流を出力できることを説明すべきである。図５Ａ−図５Ｃを参照すると、本装置は、単にノズル組立体２０の設置方向及びピッチ角度を調節することによって、床、テーブル、及び垂直壁に配置することができる。一方で、細隙ノズル組立体により空気を吹き込むための装置１００の未使用時に、ノズル組立体２０の角度は、更に空間を節約するように基部台座１０の周囲で横になるように調節することができる。好ましくは、シールリング２２は、気流を密封して良好な気流の循環作用を達成するために、フランジと水平パイプの２つの端部３２との間の結合点に配置される。同時に、ピボット構成要素２１は、ノズル組立体の滑らかな回転を可能にする組立体２３と連結され、組立体２３は、図２Ｂ及び図３Ｂに示すように、基部台座のケーシングに固定されたバネ及びバネ上に配置されたローラーボールを含む。円形鋸歯状結合部分は、フランジの外周に配置され、ローラーボールは、鋸歯状結合部分の各凹形部分２７に支えられ、これによってノズル組立体の水平パイプの周りでの滑らかな回転が可能になる。
【００４７】
ピボット構成要素２１は、ノズル組立体の滑らかな回転を可能にするプラスチック部品と結合され、突起部は、フランジの円形鋸歯状結合部分に対応するプラスチック部品に配置され、突起部は、鋸歯状結合部分の各凹形部分２７に支えられ、これによってノズル組立体の水平パイプの周りでの滑らかな回転が可能になる。
【００４８】
再度図２Ａに示す実施形態を参照すると、空気フィルタ組立体１５１は、基部台座１０の表面上の空気流通路の取り入れ端部の開口部１５に配置される。
【００４９】
別の実施形態では、インペラ１３及び電気モータ１２は、基部台座１０内のケーシングに同軸に収容されて気流を発生させるための空気供給組立体を構成し、空気フィルタ組立体は、ケーシング上の空気流通路の取り入れ端部の開口部に設置される。
【００５０】
勿論、空気フィルタ組立体は、基部台座１０の表面上の空気流通路の取り入れ端部の開口部と空気供給組立体のケーシングとの間に配置することができる。
【００５１】
好ましくは、空気フィルタ組立体に大量の塵埃が付着した場合に清掃及び交換の便宜のために、空気フィルタ組立体は、各空気流通路の取り入れ端部の開口部に着脱可能に設置され、空気フィルタ組立体の反復的な使用を実現するようになっている。明らかに、空気フィルタ組立体は、各空気流通路の取り入れ端部の開口部に固定することもできる。
【００５２】
空気フィルタ組立体は、メッシュフィルタ、フィルタ積層体、又はフィルタ積層体に基づくフィルタカートリッジである。
【００５３】
好ましくは、インペラ１３は、インペラ１３の作動時に発生するノイズを低減するために外側に保護カバー１３１を備える。図面に示すように、Ｆは、空気流の方向を示す。空気フィルタ装置１５１は、自動式、遠心式、静電式、パルス式フィルタ装置、又は空気式フィルタとすることができる。空気を濾過して、空気を吹き込むための装置１００の中に入る塵埃の量を低減する作用を実現できる何らかのフィルタ装置は、やはり本発明の保護範囲にあることは明白である。従って、本発明は、空気を吹き込むための装置１００が長期にわたる稼働寿命をもつように、ファンの中に入る塵埃の量を低減して、塵埃がファン内部の構成要素に付着するのを防止して、ファンの空気流通路のスムーズな流れを保証し、ファン内部を清潔にしておくことができる。
【００５４】
図６は、本発明の別の実施形態の基部台座１０の内部構造の概略図である。図６を参照すると、増速伝達機構は、基部台座１０内でインペラ１３を駆動して回転させるために電気モータ１２の出力軸上に設置され、プーリ駆動部及び歯車対伝達機構を含む。詳細には、基部台座１０内には伝達機構１６が設けられ、電気モータ１２及びインペラ１３は異なる回転速度を有することができ、電気モータ１２及びインペラ１３は伝達機構１６によって連結される。伝達機構１６は、インペラ１３の回転速度が電気モータ１２の回転速度よりも高くなるような固定伝達比を有する。電気モータ１２の低い回転速度によって、インペラ１３の高い回転速度を達成することができるので、電気モータ１２に対する要件が緩和する。電気モータ１２は、一般的な安価な電気モータを選択することによってノイズ低減効果を得ることができるので、高価なブラシレスＤＣ電気モータは不要となる。従って、本発明は、空気を吹き込むための装置１００のコストを低減する。
【００５５】
伝達機構１６は、第１の伝達部品１６１、第２の伝達部品１６２、及び伝達ベルト１６３を含む。伝達ベルト１６３は、第１の伝達部品１６１及び第２の伝達部品１６２に取り付けられるので、伝達ベルト１６３は、第１の伝達部品１６１と第２の伝達部品１６２との間の伝達関係を形成する。第１の伝達部品１６１が回転する場合、第２の伝達部品１６２は、伝達ベルト１６３によって駆動されて回転する。第１の伝達部品１６１は、電気モータ１２の駆動軸に対して同軸に連結され、第２の伝達部品１６２は、インペラ１３の回転軸に連結される。従って、ブラシレスファン１００が作動する場合、電気モータ１２は、第１の伝達部品１６１を回転させ、更に、第２の伝達部品１６２は、第１の伝達部品１６１と第２の伝達部品１６２との間の伝達関係により回転して、インペラ１３を回転させる。一方で、第１の伝達部品１６１と第２の伝達部品１６２の伝達比は、回転速度の低い電気モータ１２が、インペラ１３を駆動して高い回転速度を確実の生じるように、１よりも大きくする必要がある。第１の伝達部品１６１及び第２の伝達部品１６２は、歯車を用いてインペラ１３を回転させる歯車かみ合い等の他の方法で結合すること、又は両者は、直接的に相互にもたれ掛かり、インペラ１３は、摩擦抵抗によって駆動されて回転できることは明かである。勿論、２つの伝達部品は、ベルト又はチェーンによって連結されて駆動組立体を形成することができる。本実施形態では、電気モータ１２の回転速度は、５０００ｒｐｍ以下であり、インペラ１３の回転速度は、３００００ｒｐｍ以下である。図７を参照すると、ノズル組立体２０は、全体的には不変部分を有する円形又は長円形リングのように成形され、組立体の内側キャビティ内に気流を受け入れるための整流リング２４と、外側リングの周囲又長円形の周囲に配置される空気を吹き込むための細隙ノズル２５とを含む。
【００５６】
整流リング２４は、次第に狭くなる先細区域２５０を含み、空気を吹き込むための細隙ノズル２５は、先細区域２５０の先端に位置する。本実施形態では、空気を吹き込むための細隙ノズル２５の幅を定める２つの対向面の間の距離は、０．２ｍｍ−１５．０ｍｍであり、ノズルの空気供給部品の空気吹き込み方向と整流リングの中心軸線との間に形成される角度は、０．２°−２０．０°であり、空気吹き込み方向の空気供給部品の長さは、０．２ｍｍ−３０．０ｍｍである。
【００５７】
図８は、本発明の別の実施形態のノズル組立体２０の部分構造を示す拡大概略構造図である。図８を参照すると、空気を吹き込むための細隙ノズル２５の幅を定める２つの対向面は、ノズルに沿って延びる少なくとも１つの仕切り板によって分離され、仕切り板は、固定部材によって２つの対向面に結合されて、ノズルに沿って延びる複数列の空気供給出口を形成する。２つの隣接する列の空気供給出口は、一直線になって又は千鳥配列で配置される。各空気供給出口は、各空気供給出口を定める対向面を含み、各ペアの対向面の間の距離の合計は、０．２ｍｍ−１５ｍｍであり、ノズルの空気供給部品の空気吹き込み方向と整流リングの中心軸線との間に形成される角度は、０．２°−２０．０°であり、空気吹き込み方向の空気供給部品の長さは、０．２ｍｍ−３０．０ｍｍである。詳細には、ノズル２５は、ノズル２５の幅を定める２つの制限壁２５１及び２５２を含む。２つの制限壁２５１及び２５２は、ノズル２５に沿って延びる少なくとも１つの仕切り板２５３によって分離され、仕切り板２５３は、固定部材によってノズル２５の２つの制限壁２５１及び２５２に結合されるので、ノズル２５に沿って延びる複数列の空気供給出口２６（グリルデザインの）を形成する。固定部材、仕切り板２５３、及びノズル２５の２つの制限壁２５１及び２５２は一体形成される。空気供給出口２６は、２つ又は複数列で配置することができ、更に、複数列の空気供給出口２６は、ノズル２５から噴出する気流が実質的に環状形状を形成するように同時に気流を噴出するので、大きな面積の均一かつ滑らかな気流を発生させる。空気供給出口２６は、出口を定める対向面２６１及び２６２を含み、複数列の空気供給出口２６の対向面の間の距離の合計は、好ましくは０．２ｍｍ−１５ｍｍであり、空気供給出口２６と整流リング２４の軸線Ｘとの間に形成された角度は、好ましくは０．２°−２０°である。空気供給出口２６の長さは、好ましくは０．２ｍｍ−３０ｍｍである。複数列の空気供給出口２６から噴出する気流は、軸線Ｘに収束するように案内されるので、ノズル組立体２０から発生する気流は、実質的にリング状又は環状形状の形態で前方に噴出され、気流は集中するので、気流のエネルギ及び速度損失が少なくなり、ユーザは、ブレードレスファン１００から遠くに居る場合でも、やはり冷気を享受することができる。
【００５８】
好ましくは、図２Ａを参照すると、基部台座１０において、電気モータ１２及びインペラ１３は、ケーシング１１に収容されて空気供給組立体を形成し、衝撃吸収連結部材は、ケーシング１１と空気流通路の取り入れ端部との間に配置される。詳細には、ケーシング１１は、連結パイプ１４によって取り入れ端部３１に連結され、衝撃を和らげるための緩衝連結部材１４１は、ケーシング１１及び連結パイプ１４を結合する位置に結合されるので、連結パイプ１４及びケーシング１１はより良い方法で結合される。好ましくは、ケーシング１１は、衝撃吸収機構１１１によって基部台座１０内に固定される。電気モータ１２の作動時、基部台座１０が激しく振動して大きなノイズを発生することが防止される。
【００５９】
図１０は、本発明の別の実施形態の空気を吹き込むための装置１００を示す概略構造図である。ノズル組立体２０のピッチ回転を制御するための第２の電気モータ１７及び第２の電気モータ１７の出力軸に結合される少なくとも１つの駆動ホイール１７１は、基部台座１０内のケーシングに設けられ、ピボット構成要素２１と係合する場合、駆動ホイール１７１はノズル組立体２０を滑らかに回転させる。詳細には、本実施形態では、第２の電気モータ１７及び第２の電気モータ１７に結合される駆動ホイール１７１は、基部台座１０に設けられ、駆動ホイール１７１は、ノズル組立体２０のピボット構成要素２１に支えられている。作動時、第２の電気モータ１７は、駆動ホイール１７１を回転させ、更にピボット構成要素２１を回転させるので、ノズル組立体２０のピッチ回転が実現される。ユーザは、単に第２の電気モータ１７の制御（遠隔制御）ボタンを用いることでノズル組立体２０のピッチを容易に制御できる。
【００６０】
空気を吹き込むための装置１００は、ノズル組立体２０を水平方向に回転させて方位角を調節するための、基部台座１０に配置される旋回モータ４０を更に含む。旋回モータ４０は、伝達アーム４１に結合されるので、伝達アーム４１と結合される回転軸を回転させて、結果的に、ノズル組立体２０を固定する基部台座の上部と一緒にノズル組立体２０を水平面に対して回転させる。詳細には図１１を参照すると、伝達アーム４１は、回転軸４２に結合され、旋回モータ４０を制御して作動させる場合、旋回モータ４０は、基部台座１０の上部が、水平面に対してノズル組立体２０を回転させるように、弧を描くように伝達アーム４１を回転させ、回転軸４２を更に駆動して回転させる。
【００６１】
本発明による空気を吹き込むための装置１００の基部台座は、本発明による空気を吹き込むための装置１００を、床、テーブル、及び垂直取り付け体上に配置することができるように、空気を吹き込むための装置を所定位置に固定するための連結部材を備える。換言すると、図１２に示すように、基部台座１０のハウジングは、所定位置に空気を吹き込むための装置１００を固定するための固定部品を備え、装置１００は、バックル部材５０によって壁に固定される。また、固定部品は、ネジ、ブラケット等とすることができる。
【００６２】
勿論、本発明は、上記構造に限定されるものではない。図１３Ａ及び図１３Ｂを参照すると、Ｔ字形パイプの変形水平パイプの形状は、ノズル組立体２０の下部に一致する略半円形である。半円形通路の２つの吐出端３２には、それぞれピボット構成要素２１が設けられており、ノズル組立体２０は、ピボット構成要素２１を用いて半円形通路の２つの吐出端３２上に回転可能に配置される。本実施形態では、ノズル組立体２０は、空気を吹き込むための装置１００が任意の方向及び位置でユーザに対して気流を出力できるように、回転軸と見なされるピボット構成要素２１の周りを３６０°の範囲で自由に回転できる。
【００６３】
別の実施形態では、本発明は、基部台座上に配置される標準又はミニＵＳＢポートを含むＵＳＢポートを更に備える。
【００６４】
更に別の実施形態では、空気供給組立体を固定する基部台座１０の上部は、底部の回転中心において摺動可能に回転できる二極同軸スリップリングによって、基部台座の下部から電力を受けて空気供給組立体を駆動する。
【００６５】
要約すれば、本発明は、大きな角度での基部台座１０の周りのノズル組立体２０のピッチ回転を実現しるので、気流の噴出方向の調節に対する要求を満たす。更に、空気を吹き込むための装置が不使用の場合、ノズル組立体は、空間を節約するように、回転してフラットな状態に折り畳むことができる。
【００６６】
本発明に関して他の多くの実施形態がある。当業者は、本発明の精神及び本質から逸脱することなく、本発明に基づいて種々の対応する変更及び変形形態を作ることができる。しかしながら、これらの対応する変更及び変形形態は、添付の請求範囲に含まれるはずである。
本発明は、以下のような態様であってもよい。
（１）増速伝達機構が、前記基部台座において前記インペラを回転させるための電気モータの出力軸に取り付けられ、プーリ駆動部及び歯車対伝達機構を含む。
（２）前記ノズル組立体は、不変部分を有する円形又は長円形リングのような全体形状に成形され、前記組立体の内側キャビティにおいて前記気流を受け入れるための整流リングと、外側リングの周囲又は長円形の周囲に配置され空気を吹き込むための細隙ノズルとを含む。
（３）前記整流リングは、次第に狭くなる先細区域を含み、前記空気を吹き込むための細隙ノズルは、前記先細区域の先端に位置する。
（４）空気を吹き込むための前記細隙ノズルの幅を定める２つの対向面の間の距離は、０．２ｍｍ−１５．０ｍｍであり、前記ノズルの空気供給部品の空気吹き込み方向と前記整流リングの中心軸線との間に形成される角度は、０．２°−２０．０°であり、前記空気吹き込み方向の前記空気供給部品の長さは、０．２ｍｍ−３０．０ｍｍである。
（５）前記空気を吹き込むための細隙ノズルの幅を定める２つの対向面は、前記ノズルに沿って延びる少なくとも１つの仕切り板によって分離され、該仕切り板は、固定部材によって前記２つの対向面に結合されて、前記ノズルに沿って延びる複数列の空気供給出口を形成し、空気供給出口の２つの隣接する列は、整列して又は千鳥配列で配置され、各空気供給出口は、各空気供給出口を定める対向面を含み、各ペアの対向面の間の距離の合計は、０．２ｍｍ−１５ｍｍであり、前記ノズルの空気供給部品の空気吹き込み方向と前記整流リングの中心軸線との間に形成される角度は、０．２°−２０．０°であり、前記空気吹き込み方向の空気供給部品の長さは、０．２ｍｍ−３０．０ｍｍである。
（６）前記ピボット構成要素は、前記基部台座内に取り付けられるＴ字形中空パイプを含み、前記Ｔ字形中空パイプの水平パイプの２つの端部は、前記ノズル組立体の取り入れ端部と連通状態にあり、前記Ｔ字形中空パイプの垂直パイプは、前記基部台座の前記出口端部と連通状態にあり、前記水平パイプの前記２つの端部は、前記水平パイプの周りで回転可能なフランジにはめ込まれ、前記フランジ及び前記ノズル組立体は、前記ノズル組立体及び前記フランジが前記水平パイプの周りを共に回転するように一緒に固定される。
（７）前記ピボット構成要素は、前記ノズル組立体の取り入れ端部に配置される中空パイプを含み、前記中空パイプ及び前記ノズル組立体は一緒に固定され、シール部材が、前記ノズル組立体及び前記中空パイプが一緒に回転するように、前記中空パイプと前記基部台座内のケーシングの空気出口との間に配置される。
（８）シール部材は、前記フランジ又は前記中空パイプと前記基部台座内のケーシングとの間に配置される。
（９）サークリップが、前記フランジ又は前記中空パイプ上に配置されて、前記ノズル組立体が前記基部台座内のケーシングから外れることを防止する。
（１０）前記ピボット構成要素は、前記ノズル組立体の滑らかな回転を可能にする組立体に結合され、前記基部台座の前記ケーシングに固定されるバネ及び該バネ上に配置されるローラーボールを含み、円形鋸歯状結合部分が、前記フランジの外周上に配置され、前記ローラーボールは、前記鋸歯状結合部分の各凹形部分に支えられ、結果的に前記水平パイプの周りで前記ノズル組立体の滑らかな回転が可能になる。
（１１）前記ピボット構成要素は、前記ノズル組立体の滑らかな回転を可能にするプラスチック部品と結合され、突起部が、前記フランジの円形鋸歯状結合部分に対応する前記プラスチック部品に配置され、前記突起部は、前記鋸歯状結合部分の各凹形部分に支えられ、結果的に前記水平パイプの周りで前記ノズル組立体の滑らかな回転が可能になる。
（１２）前記シール部材は、前記フランジと前記水平パイプとの間に配置され、ファスナが、前記フランジと前記ノズル組立体との間に結合される。
（１３）前記ノズル組立体のピッチ回転を制御するための第２の電気モータ、及び前記第２の電気モータの出力軸に結合される少なくとも１つの駆動ホイールが、前記基部台座内のケーシングに設けられ、駆動ホイールの前記ピボット構成要素との係合により、前記ノズル組立体が滑らかに回転する。
（１４）前記電気モータ及び前記インペラは、空気を吹き込むための装置の空気供給組立体を構成し、前記空気供給組立体は、ケーシングに収容され、前記ケーシングは、減衰機構によって前記基部台座内に固定される。
（１５）前記インペラ及び前記電気モータは、ケーシングに収容されて空気供給組立体を構成し、衝撃吸収連結部材が、前記ケーシングと前記空気流通路の取り入れ端部との間に配置される。
（１６）前記ノズル組立体を前記水平方向に回転させて方位角を調節するために前記基部台座内に配置される旋回モータを更に含み、前記旋回モータは、伝達アームに結合され、それにより前記伝達アームに結合される回転軸を回転させ、結果的に、前記ノズル組立体を固定する前記基部台座の上部と一緒にノズル組立体を水平平面上で回転させる。
（１７）前記基部台座は、所定位置に空気を吹き込むための装置を固定するための連結部材を備える。
（１８）前記基部台座のハウジングが、所定位置に空気を吹き込むための装置を固定するための固定部品を備える。
（１９）前記基部台座上に配置される標準又はミニＵＳＢポートを含むＵＳＢポートを更に備える。
（２０）空気供給組立体を固定する基部台座の上部は、底部の回転中心において摺動可能に回転できる二極同軸スリップリングによって、前記基部台座の下部から電力を受けて前記空気供給組立体を駆動する。
【符号の説明】
【００６７】
１０  基部台座
１１  ケーシング
１２  電気モータ
１３  インペラ
１４  連結パイプ
１５  開口部
１６  伝達機構
１７  第２の電気モータ
２０  ノズル組立体
２１  ピボット構成要素
２２  第２の電気モータ
【図１】
0005442166.tif 000002
【図２Ａ】
0005442166.tif 000003
【図２Ｂ】
0005442166.tif 000004
【図３Ａ】
0005442166.tif 000005
【図３Ｂ】
0005442166.tif 000006
【図４】
0005442166.tif 000007
【図５Ａ】
0005442166.tif 000008
【図５Ｂ】
0005442166.tif 000009
【図５Ｃ】
0005442166.tif 000010
【図６】
0005442166.tif 000011
【図７】
0005442166.tif 000012
【図８】
0005442166.tif 000013
【図９】
0005442166.tif 000014
【図１０】
0005442166.tif 000015
【図１１】
0005442166.tif 000016
【図１２】
0005442166.tif 000017
【図１３Ａ】
0005442166.tif 000018
【図１３Ｂ】
0005442166.tif 000019